(57)【特許請求の範囲】
【請求項１】
使用者の左右どちらか一方の手腕部を浸す冷水で満たされた手冷水槽と、
前記使用者の他方の手腕部を浸す温水で満たされた手温水槽と、
前記使用者の左右どちらか一方の足部を浸す冷水で満たされた足冷水槽と、
前記使用者の他方の足部を浸す温水で満たされた足温水槽と、
前記手冷水槽と手温水槽との位置を入れ替える手水槽回転手段と、
前記足冷水槽と足温水槽との位置を入れ替える足水槽回転手段と、
を含む手足温冷浴器。
【請求項２】
使用者の左右どちらか一方の手腕部を浸す冷水で満たされた手冷水槽と、
前記手冷水槽に浸された手腕部と反対側の足部を浸す冷水で満たされた足冷水槽と、
前記使用者の他方の手腕部を浸す温水で満たされた手温水槽と、
前記手温水槽に浸された手腕部と反対側の足部を浸す温水で満たされた足温水槽と、
前記手冷水槽と手温水槽との位置を入れ替える手水槽回転手段と、
前記足冷水槽と足温水槽との位置を入れ替える足水槽回転手段と、
を含む手足温冷浴器。
【請求項３】
前記手冷水槽と足冷水槽に冷水を供給する冷水供給手段と、
前記手温水槽と足温水槽に温水を供給する温水供給手段と、
前記手冷水槽、手温水槽、足冷水槽、足温水槽の水温を検知する水温検知手段と、
前記手冷水槽、手温水槽、足冷水槽、足温水槽の水温を制御する水温制御手段と、
前記使用者が、手腕部及び足部を冷水及び温水に浸している時間を管理する時間管理手段と、
を含む請求項１または請求項２のいずれかに記載の手足温冷浴器
【請求項４】
前記水温検知手段と、前記水温制御手段と、前記時間管理手段より得られる情報を表示する情報表示手段を含む請求項１乃至請求項３のいずれかに記載の手足温冷浴器。
【請求項５】
前記手冷水槽、手温水槽、足冷水槽、足温水槽に水流を発生させる水流発生手段を含む、請求項１乃至請求項４のいずれかに記載の手足温冷浴器。
【請求項６】
前記手冷水槽、手温水槽、足冷水槽、足温水槽に血流を促進させる血流促進手段を含む、請求項１乃至請求項５のいずれかに記載の手足温冷浴器。
【発明の詳細な説明】
【０００１】
【発明の属する技術分野】
本発明は、水を媒体としての身体の健康増進に効果のある器具に関し、さらに詳しくは足部及び手腕部の温冷浴装置に関する。
【０００２】
【従来の技術】
身体のマッサージ効果を有する健康器具に関する発明は多数考案されているが、その中でも足浴のための器具についての考案は数多く存在する。例えば、足浴槽に温水を収容し、循環させることで足部の血行を改善する足浴器（特開平０５−０９２０３０）、ヒーター、バイブレーターを設けることでマッサージを行う足温浴装置（特開平０８−０５７０１３）、ヒーター、圧縮空気ノズルを設けた足浴器（特開２０００−２６２５８２）等がある。また、足部だけではなく手をも浴槽に浸たすことで、心肺に負担をかけることなく、全身の血行を良くするための手足温浴装置も考案されている（特開２００１−６１９４１）。
【０００３】
温水中と冷水中に、全身または体の部分的な箇所を交互に浸すことは、皮膚から刺激を与え、血行を促進させることによる健康増進効果が期待される。この温冷浴は全身に対しても、身体の部分的な箇所に対しても行われ、基本的には血管の収縮と拡張により、血行を促進し、新陳代謝を活発にする効果がある。また、抵抗力を高める、冷え性の改善、発汗の促進による解熱効果等も期待できる。さらに特に体の部分的な箇所に対しての温冷浴は、手軽であり、また心肺が弱く、全身に温冷浴ができない人も、上述したような温冷浴の効果を受けることができるため、無理な運動や薬剤等に頼ることのない簡便で自然な健康法である。
【０００４】
【発明が解決しようとする課題】
本発明においては、簡単な操作で手軽に手足の温冷浴ができる手足温冷浴器を提供することを課題とする。
【０００５】
【課題を解決するための手段】
本発明の手足温冷浴器は、使用者の左右どちらか一方の手腕部を浸す冷水で満たされた手冷水槽と、前記使用者の他方の手腕部を浸す温水で満たされた手温水槽と、前記使用者の左右どちらか一方の足部を浸す冷水で満たされた足冷水槽と、前記使用者の他方の足部を浸す温水で満たされた足温水槽とを含む構成としている。ここで冷水とは、０℃以上２５℃未満の水温の水を示している。温水とは、２５℃以上４５℃未満の水のことを示している。また、満たされたとは、それぞれの槽において、肘から下の部位がほぼ水で浸される程度の水量を示し、足部の膝から下の部位が浸される程度の水量を示している。
【０００６】
また、本発明の手足温冷浴器は、使用者の左右どちらか一方の手腕部を浸す冷水で満たされた手冷水槽と、前記手冷水槽に浸された手腕部と反対側の足部を浸す冷水で満たされた足冷水槽と、前記使用者の他方の手腕部を浸す温水で満たされた手温水槽と、前記手温水槽に浸された手腕部と反対側の足部を浸す温水で満たされた足温水槽とを含む構成としている。これにより、例えば、右手と左足を冷水槽に浸し、左手と右足を温水槽に浸すことができる。
【０００７】
本発明の手足温冷浴器は、前記手冷水槽と手温水槽の位置を入れ替える手水槽回転手段と、前記足冷水槽と足温水槽の位置を入れ替える足水槽回転手段とを含む構成としている。これにより、簡単に温水槽と冷水槽の位置を入れ替えることができる。
【０００８】
本発明の手足温冷浴器は、前記手冷水槽と、前記足冷水槽に冷水を供給する冷水供給手段と、前記手温水槽と、前記足温水槽に温水を供給する温水供給手段と、
前記手冷水槽、手温水槽、足冷水槽、足温水槽の水温を検知する水温検知手段と、
前記手冷水槽、手温水槽、足冷水槽、足温水槽の水温を制御する水温制御手段と、
前記使用者が、手腕部及び足部を冷水及び温水に浸している時間を管理する時間管理手段と、前記水温検知手段と、前記水温制御手段とを含む構成としている。これら手段を採用することにより、簡単な準備と操作で、より効果的な手足の部分浴を行うことができる。
【０００９】
本発明の手足温冷浴器は、前記時間管理手段より得られる情報を表示する情報表示手段を含む構成としている。
【００１０】
本発明の手足温冷浴器は、前記手冷水槽、手温水槽、足冷水槽、足温水槽に水流を発生させる水流発生手段を含む構成としている。その結果、水流の力によって、手足の部分浴の効果を高めることができる。さらに、各水槽内の温度を均一にする効果を有する。
【００１１】
本発明の手足温冷浴器は、前記手冷水槽、手温水槽、足冷水槽、足温水槽に血流を促進させる血流促進手段を含む構成としている。その結果、血流が促進され手足の部分浴の効果を高めることができる。
【００１２】
手足温冷浴方法は、一方の手腕部を冷水に浸すステップと、他方の手腕部を温水に浸すステップと、冷水に浸した手腕部と反対側の足部を温水に浸すステップと、温水に浸した手腕部と反対側の足部を冷水に浸すステップとを含んでいる。
【００１３】
【発明の実施の形態】
本発明の実施の形態を、図１を用いて説明する。本発明の手足温冷浴器１０は、Ｕ字型に形成された台座部２６の曲線部の頂点部位に、高さ方向に逆Ｌ字状に屈折した支柱部２８が立てられている。この支柱部２８の先端部位にはベアリング３０を介してコの字型の手水槽手段１６が回転可能に接合されている。この手水槽手段１６は、手冷水槽１２と手温水槽１４とが一定の間隔をもって支柱部２８先端部位から吊られることで構成されている。
【００１４】
更に、台座部２６の中心位置には使用者が座る座席部３２が設けられている。また、台座部２６のＵ字状における開放端側には台座部２６に取り付けられた回転台２４と、その回転台２４の上に円筒状の足水槽手段２２が載置されている。この足水槽手段２２は、円筒形の中央で遮断されることで、足温水槽１８と足冷水槽２０を形成している。また、足水槽手段２２の中心には情報表示手段３４が突設されている。この情報表示手段３４はどの方向からも表示が見えるように回転可能となっている。
【００１５】
本発明の手足温冷浴器１０の構成を詳しく説明する。使用者の左右どちらか一方の手腕部を浸す冷水で満たされた手冷水槽１２と、他方の手腕部を浸す温水で満たされた手温水槽１４と、この手冷水槽１２と手温水槽１４とにより構成される手水槽手段１６で構成されている。また、この使用者の左右どちらか一方の足部を浸す冷水で満たされた足冷水槽２０と、他方の足部を浸す温水で満たされた足温水槽１８と、この足冷水槽２０と足温水槽１８とで構成される足水槽手段２２で構成されている。例えば、図１に示すように右手と左足が冷水に浸され、左手と右足が温水に浸されることになる。このとき、左右の水槽が逆の構成でも良い。また、右手と右足が冷水に浸され、左手と左足が温水に浸される水槽の構成でも良い。
【００１６】
加えて、この手冷水槽１２と手温水槽１４との左右の位置を入れ替える手水槽回転手段が設けられている。この手水槽回転手段は、図１で示すところの、右側の手冷水槽１２を左側の手温水槽１４の位置に、左側の手温水槽１４を右側の手冷水槽１２の位置にそれぞれ移動させる手段を示している。例えば、手水槽手段１６の中央に設けられたベアリング３０により、手水槽手段１６が１８０度回転する。この手水槽回転手段はベアリング３０により実現される。また、足冷水槽２０と足温水槽１８との左右の位置を入れ替える足水槽回転手段が設けられている。この足水槽回転手段は、同様に、右側の足温水槽１８を左側の手冷水槽１２の位置に、左側の手冷水槽１２を右側の手温水槽１４の位置にそれぞれ移動させる手段を示している。例えば、足水槽手段２２の下に配された回転台２４によって、足水槽手段２２が１８０度回転する。この足水槽回転手段は回転台２４により実現される。
【００１７】
本発明の手足温冷浴器１０には、手冷水槽１２と足冷水槽２０に冷水を供給する冷水供給手段と、手温水槽１４と足音水槽に温水を供給する温水供給手段と、これら手冷水槽１２、手温水槽１４、足冷水槽２０、足温水槽１８の水温を検知する水温検知手段と、手冷水槽１２、手温水槽１４、足冷水槽２０、足温水槽１８の水温を制御する水温制御手段と、使用者が手腕部及び足部を冷水及び温水に浸している時間を管理する時間管理手段と、水温検知手段と、水温制御手段と、時間管理手段より得られる情報を表示する情報表示手段３４を含む。
【００１８】
上記に示した手段は、例えば、各水槽にペルチェ素子を配置し、電流を流すことで、各水槽に温度差を生じさせるペルチェ効果を利用した、冷水及び温水供給手段を採用しても良い。また、冷水供給手段にフロン系ガスを圧縮して液化し、その液体が気化するときに周囲の熱を奪う作用を利用した冷水を供給する手段を採用しても良い。温水供給手段は、手温水槽１４及び足温水槽１８の内部に配されたヒーターに電流を流すことで発生する熱により温水を供給する手段を採用しても良い。水温検知手段は、それぞれの水槽に温度センサーを配する手段を採用しても良い。水温制御手段は、情報表示手段３４内に設けられているマイクロコンピュータにて設定されている演算処理に従って水温を管理する方法を採用しても良い。情報表示手段３４は、水温を表示させる表示部と数値を設定するボタン部から構成されていて、内部には演算処理をするマイクロコンピュータが配されている手段を採用しても良い。
【００１９】
また、本発明の手足温冷浴器１０には、手冷水槽１２と、手温水槽１４と、足冷水槽２０と、足温水槽１８に水流を発生させる水流発生手段を含む。更に、手冷水槽１２と、手温水槽１４と、足冷水槽２０と、足温水槽１８に、音波、電流、磁力、気泡のいずれかを発生させる血流促進手段を含む。
【００２０】
更には、同じ手足温冷浴器１０を大勢の人が使用することを考慮して、各手冷水槽１２、手温水槽１４、足冷水槽２０、足温水槽１８に、各槽内の水を殺菌、ろ過するためのろ過装置を設けても良い。加えて、各槽内に配する冷水及び温水に、温泉から湧き出た温泉水を使用することや、水道水に薬湯の成分を含む薬剤を混ぜ込んだ薬湯水を採用しても良い。
【００２１】
次に、本実施の形態の作用を説明する。使用者は座席部３２に腰をおろし、右手の肘から先を手冷水槽１２に浸す。左手も肘から先を手温水槽１４に浸す。同時に右足を足温水槽１８に浸し、左足を足冷水槽２０に浸す。そのまま、３分間同じ体勢のまま手足を温冷水に浸し、手足の部分温冷浴を行う。時間管理手段により、温冷水に浸している時間を管理する。この時間管理手段は、設定した時間が経過したときに、ブザーにて使用者に知らせる手段を採用しても良い。
【００２２】
３分経過後、一旦手足を水槽から抜き出し、手水槽回転手段を使用して、手水槽手段１６の左右の水槽位置を入れ替える。また、足水槽回転手段を使用して、足水槽手段２２の左右の水槽位置を入れ替える。そして、再び、座席部３２に腰をおろし、右手を手温水槽１４に、左手を手冷水槽１２に浸す。同時に右足を足冷水槽２０に、左足を足温水槽１８に浸す。そして、３分間同じ体勢のまま手足を温冷水に浸し、手足の部分温冷浴を行う。
【００２３】
この３分間の部分温冷浴を８回繰り返し行う。この部分温冷浴を行っている間は、水温検知手段が検知した水温を、水温制御手段により冷水供給手段と温水供給手段を制御し、一定の水温に管理している。例えば、手冷水槽１２及び足冷水槽２０の水温を１０℃に固定している。また、手温水槽１４及び足温水槽１８の水温を４０℃に固定している。手温水槽１４及び足温水槽１８においては水温を０℃以上２５℃未満の間で自由に設定可能である。同じく、手温水槽１４及び足温水槽１８においては水温を２５℃以上４５℃未満の間で自由に設定可能である。
【００２４】
この手足を交互に温水と冷水に浸す部分温冷浴を行うことにより、血管の収縮と拡張により、血行を促進し、新陳代謝を活発にする効果を期待することができる。また、水流発生手段が発生する水流と、血流促進手段により、手足に適度な刺激が与えられ、より一層の血行促進とリラクゼーション効果を期待することができる。
【００２５】
本発明は、本発明は上記の実施形態に限定されない。本発明はその趣旨を逸脱しない範囲で当業者の知識に基づき種々なる改良、修正、変形を加えた態様で実施できるものである。
【００２６】
例えば、図２に示されるように、手水槽回転手段と足水槽回転手段の替わりに、
座席部３２をもう一つ反対側に設ける構成を採用することも可能である。これで使用者が腰を下ろす座席部３２を替えることにより、左右の手足を浸す水槽を入れ替えることができる。また、手水槽手段１６の前後位置や座席部３２の上下位置を変更可能な構成を採用することにより、使用者にとって楽な姿勢で部分温冷浴ができるようになる変形も可能である。
【００２７】
【発明の効果】
本発明の手足温冷浴器によれば、右手と左足を同じ温度の水槽に浸し、左手と右足を同じ温度の水槽に浸すことで、効率よく皮膚から刺激を与え、血管の収縮と拡張により、血行を促進させ、新陳代謝を活発にする効果が期待できる。また、抵抗力を高める、冷え性の改善、発汗の促進による解熱効果等も期待できる。更に、冷水槽と温水槽に、交互に手腕部及び足部を浸すことにより、より一層温冷浴の効果を高めることができる。
【００２８】
また、本発明の手足温冷浴器によれば、温水と冷水を別々に用意しなくても水槽に水を入れるだけで冷水及び温水を準備することができる。よって、手軽に温冷浴を行うことができる。また、時間が経っても水槽の温度が変化しないので、より一層温冷浴の効果を高めることができる。
【図面の簡単な説明】
【図１】本発明の手足温冷機の全体斜視図である。
【図２】本発明の手足温冷浴器における他の実施の形態である、座席部を二つ設けた手足温冷浴器の全体斜視図である。
【符号の説明】
１０：手足温冷浴器
１２：手冷水槽
１４：手温水槽
１６：手水槽手段
１８：足温水槽
２０：足冷水槽
２２：足水槽手段
２４：回転板
２６：台座部
２８：支柱
３０：ベアリング
３２：座席部
３４：情報表示装置
【図１】
0003964647.tif 000002
【図２】
0003964647.tif 000003